(57)【要約】  複数のチャネル信号を符号化／復号化するシステム及び方法が開示される。位相情報と残余信号を用いて複数のチャネル信号をアップミックスすることによって本来の信号に近い音質に復元することができる。
2013508770.tif 000002
【特許請求の範囲】
【請求項１】
Ｎ個のチャネル信号に対して位相情報に関連する空間パラメータを抽出して符号化するパラメータ符号化部と、
前記空間パラメータを用いて前記Ｎ個のチャネル信号をＭ個のチャネル信号にダウンミックスするダウンミックス部と、
前記Ｎ個のチャネル信号に関連する残余信号を符号化する残余信号符号化部と、
前記ダウンミックスされたＭ個のチャネル信号を符号化するチャネル信号符号化部と、
を備えることを特徴とする符号化装置。
【請求項２】
前記残余信号符号化部は、前記Ｎ個のチャネル信号を空間パラメータに表すとき発生するエラー信号の残余信号を抽出することを特徴とする請求項１に記載の符号化装置。
【請求項３】
符号化されたＭ個のチャネル信号をＡＣＥＬＰ、ｗＬＰＴ、またはＡＡＣのいずれか１つに基づいて復号化するチャネル信号復号化部と、
符号化された空間パラメータを復号化するパラメータ復号化部と、
前記空間パラメータを用いて位相情報を推定する位相情報推定部と、
符号化された残余信号を復号化する残余信号復号化部と、
前記位相情報を用いて前記Ｍ個のチャネル信号に対するアップミックスマトリックスを算出するマトリックス算出部と、
前記残余信号とアップミックスマトリックスを用いて前記Ｍ個のチャネル信号をＮ個のチャネル信号にアップミックスするアップミックス部と、
を備えることを特徴とする復号化装置。
【請求項４】
前記空間パラメータは、Ｎ個のチャネル信号のエネルギーレベルによる強度差を示すエネルギー差パラメータ（ＣＬＤ：Ｃｈａｎｎｅｌ  Ｌｅｖｅｌ  Ｄｉｆｆｅｒｅｎｃｅｓ）及びＮ個のチャネル信号間の位相差を示す位相差パラメータ（ＩＰＤ：Ｉｎｔｅｒ−ｃｈａｎｎｅｌ  Ｐｈａｓｅ  Ｄｉｆｆｅｒｅｎｃｅ）のうち少なくとも１つを含み、
前記位相情報推定部は、前記空間パラメータを用いて前記Ｎ個のチャネル信号間の位相差がＭ個のチャネル信号に基づいて分布する程度を表すパラメータ（ＯＰＤ：Ｏｖｅｒａｌｌ  Ｐｈａｓｅ  Ｄｉｆｅｒｅｎｃｅ）を推定することを特徴とする請求項３に記載の復号化装置。
【請求項５】
前記残余信号は、前記Ｎ個のチャネル信号を空間パラメータに表すとき発生するエラー信号であることを特徴とする請求項３に記載の復号化装置。
【請求項６】
ＭＰＥＧ  ＵＳＡＣ（Ｕｎｉｆｉｅｄ  Ｓｐｅｅｃｈ  ａｎｄ  Ａｕｄｉｏ  Ｃｏｄｅｒ）に符号化されたＭ個のチャネル信号を動作するＬＰＤ（Ｌｉｎｅａｒ  Ｐｒｅｄｉｃｔｉｏｎ  Ｄｏｍａｉｎ）に基づいたＡＣＥＬＰ（Ａｌｇｅｂｒａｉｃ  Ｃｏｄｅ  Ｅｘｃｉｔｅｄ  Ｌｉｎｅａｒ  Ｐｒｅｄｉｃｔｉｏｎ）、ｗＬＰＴ（ｗｅｉｇｈｔｅｄ  Ｌｉｎｅａｒ  Ｐｒｅｄｉｃｔｉｖｅ  Ｔｒａｎｓｆｏｒｍ）、またはＦＤ（Ｆｒｅｑｕｅｎｃｙ  Ｄｏｍａｉｎ）に基づいたＡＡＣ（Ａｄｖａｎｃｅｄ  Ａｕｄｉｏ  Ｃｏｄｉｎｇ）のいずれか１つによって復号化するチャネル信号復号化部と、
符号化された空間パラメータを復号化するパラメータ復号化部と、
前記空間パラメータを用いて位相情報を推定する位相情報推定部と、
符号化された残余信号を復号化する残余信号復号化部と、
前記位相情報を用いて前記Ｍ個のチャネル信号に対するアップミックスマトリックスを算出するマトリックス算出部と、
前記残余信号とアップミックスマトリックスを用いて前記Ｍ個のチャネル信号をＮ個のチャネル信号にアップミックスするアップミックス部と、
を備えることを特徴とする復号化装置。
【請求項７】
Ｎ個のチャネル信号に対して位相情報と空間パラメータを抽出して符号化するステップと、
前記空間パラメータを用いて前記Ｎ個のチャネル信号をＭ個のチャネル信号にダウンミクシンするステップと、
前記Ｎ個のチャネル信号に関連する残余信号を符号化するステップと、
前記ダウンミックスされたＭ個のチャネル信号を符号化するステップと、
を含むことを特徴とする符号化方法。
【請求項８】
前記残余信号を符号化するステップは、前記Ｎ個のチャネル信号を空間パラメータに表すとき発生するエラー信号の残余信号を抽出することを特徴とする請求項７に記載の符号化方法。
【請求項９】
符号化されたＭ個のチャネル信号を復号化するステップと、
符号化された空間パラメータを復号化するステップと、
前記空間パラメータを用いて位相情報を推定するステップと、
符号化された残余信号を復号化するステップと、
前記位相情報を用いて前記Ｍ個のチャネル信号に対するアップミックスマトリックスを算出するステップと、
前記残余信号及びアップミックスマトリックスを用いて前記Ｍ個のチャネル信号をＮ個のチャネル信号にアップミックスするステップと、
を含むことを特徴とする復号化方法。
【請求項１０】
前記空間パラメータは、Ｎ個のチャネル信号のエネルギーレベルによる強度差を示すエネルギー差パラメータ及びＮ個のチャネル信号の間の位相差を示す位相差パラメータのうち少なくとも１つを含み、
前記位相情報を推定するステップは、前記空間パラメータを用いて前記Ｎ個のチャネル信号間の位相差がＭ個のチャネル信号に基づいて分布する程度を表すパラメータを推定することを特徴とする請求項９に記載の復号化方法。
【請求項１１】
前記残余信号は、前記Ｎ個のチャネル信号を空間パラメータに表すとき発生するエラー信号であることを特徴とする請求項９に記載の復号化方法。
【請求項１２】
ＭＰＥＧ  ＵＳＡＣ（Ｕｎｉｆｉｅｄ  Ｓｐｅｅｃｈ  ａｎｄ  Ａｕｄｉｏ  Ｃｏｄｅｒ）に符号化されたＭ個のチャネル信号を動作するＬＰＤ（Ｌｉｎｅａｒ  Ｐｒｅｄｉｃｔｉｏｎ  Ｄｏｍａｉｎ）に基づいたＡＣＥＬＰ（Ａｌｇｅｂｒａｉｃ  Ｃｏｄｅ  Ｅｘｃｉｔｅｄ  Ｌｉｎｅａｒ  Ｐｒｅｄｉｃｔｉｏｎ）、ｗＬＰＴ（ｗｅｉｇｈｔｅｄ  Ｌｉｎｅａｒ  Ｐｒｅｄｉｃｔｉｖｅ  Ｔｒａｎｓｆｏｒｍ）、またはＦＤ（Ｆｒｅｑｕｅｎｃｙ  Ｄｏｍａｉｎ）に基づいたＡＡＣ（Ａｄｖａｎｃｅｄ  Ａｕｄｉｏ  Ｃｏｄｉｎｇ）のいずれか１つによって復号化するステップと、
符号化された空間パラメータを復号化するステップと、
前記空間パラメータを用いて位相情報を推定するステップと、
符号化された残余信号を復号化するステップと、
前記位相情報を用いて前記Ｍ個のチャネル信号に対するアップミックスマトリックスを算出するステップと、
前記残余信号とアップミックスマトリックスを用いて前記Ｍ個のチャネル信号をＮ個のチャネル信号にアップミックスするステップと、
を含むことを特徴とする復号化方法。
【請求項１３】
請求項７〜請求項１２のいずれか一項の方法を行うプログラムを記録したコンピュータで読み出し可能な記録媒体。
【発明の詳細な説明】
【技術分野】
【０００１】
本発明の実施形態は複数のチャネル信号を符号化／復号化する装置及び方法に関し、より詳しくは、位相情報と残余信号を用いて複数のチャネル信号を符号化／復号化する装置及び方法に関する。
【背景技術】
【０００２】
複数のチャネル信号をコーディングする方法としてＭＰＥＧサラウンドコーディングがある。ＭＰＥＧサラウンドは、入力されたステレオ信号をダウンミックスしてモノ信号を生成し、ステレオ信号のパラメータを抽出した後モノ信号とパラメータを符号化してもよい。ＭＰＥＧサラウンド技術は１−ｔｏ−２（ｏｎｅ−ｔｏ−ｔｗｏ）と２−ｔｏ−３（Ｔｗｏ−ｔｏ−Ｔｈｒｅｅ）を基本にして、複数のチャネル信号に対してダウンミックス／アップミックスしてもよい。
【０００３】
ＭＰＥＧサラウンドの場合、複数のチャネル信号をパラメータに表してコーディングするとき、パラメータによってビットレートを増加させても本来の信号を復元することが困難である問題がある。したがって、複数のチャネル信号をパラメータに表しても本来の信号に近く復元することのできる方法が求められている。
【発明の概要】
【課題を解決するための手段】
【０００４】
本発明の一実施形態に係る符号化装置は、Ｎ個のチャネル信号に対して位相情報に関連する空間パラメータを抽出して符号化するパラメータ符号化部と、前記空間パラメータを用いて前記Ｎ個のチャネル信号をＭ個のチャネル信号にダウンミックスするダウンミックス部と、前記Ｎ個のチャネル信号に関連する残余信号を符号化する残余信号符号化部と、前記ダウンミックスされたＭ個のチャネル信号を符号化するチャネル信号符号化部とを備えてもよい。
【０００５】
本発明の一実施形態に係る復号化装置、符号化されたＭ個のチャネル信号をＡＣＥＬＰ、ｗＬＰＴ、またはＡＡＣのいずれか１つに基づいて復号化するチャネル信号復号化部と、符号化された空間パラメータを復号化するパラメータ復号化部と、前記空間パラメータを用いて位相情報を推定する位相情報推定部と、符号化された残余信号を復号化する残余信号復号化部と、前記位相情報を用いて前記Ｍ個のチャネル信号に対するアップミックスマトリックスを算出するマトリックス算出部と、前記残余信号とアップミックスマトリックスを用いて前記Ｍ個のチャネル信号をＮ個のチャネル信号にアップミックスするアップミックス部とを備えてもよい。
【０００６】
本発明の一実施形態に係る復号化装置は、ＭＰＥＧ  ＵＳＡＣ（Ｕｎｉｆｉｅｄ  Ｓｐｅｅｃｈ  ａｎｄ  Ａｕｄｉｏ  Ｃｏｄｅｒ）に符号化されたＭ個のチャネル信号を動作するＬＰＤ（Ｌｉｎｅａｒ  Ｐｒｅｄｉｃｔｉｏｎ  Ｄｏｍａｉｎ）に基づいたＡＣＥＬＰ（Ａｌｇｅｂｒａｉｃ  Ｃｏｄｅ  Ｅｘｃｉｔｅｄ  Ｌｉｎｅａｒ  Ｐｒｅｄｉｃｔｉｏｎ）、ｗＬＰＴ（ｗｅｉｇｈｔｅｄ  Ｌｉｎｅａｒ  Ｐｒｅｄｉｃｔｉｖｅ  Ｔｒａｎｓｆｏｒｍ）、またはＦＤ（Ｆｒｅｑｕｅｎｃｙ  Ｄｏｍａｉｎ）に基づいたＡＡＣ（Ａｄｖａｎｃｅｄ  Ａｕｄｉｏ  Ｃｏｄｉｎｇ）のいずれか１つによって復号化するチャネル信号復号化部と、符号化された空間パラメータを復号化するパラメータ復号化部と、前記空間パラメータを用いて位相情報を推定する位相情報推定部と、符号化された残余信号を復号化する残余信号復号化部と、前記位相情報を用いて前記Ｍ個のチャネル信号に対するアップミックスマトリックスを算出するマトリックス算出部と、前記残余信号とアップミックスマトリックスを用いて前記Ｍ個のチャネル信号をＮ個のチャネル信号にアップミックスするアップミックス部とを備えてもよい。
【０００７】
本発明の一実施形態に係る符号化方法は、Ｎ個のチャネル信号に対して位相情報と空間パラメータを抽出して符号化するステップと、前記空間パラメータを用いて前記Ｎ個のチャネル信号をＭ個のチャネル信号にダウンミクシンするステップと、前記Ｎ個のチャネル信号に関連する残余信号を符号化するステップと、前記ダウンミックスされたＭ個のチャネル信号を符号化するステップとを含んでもよい。
【０００８】
本発明の一実施形態に係る復号化方法は、符号化されたＭ個のチャネル信号を復号化するステップと、符号化された空間パラメータを復号化するステップと、前記空間パラメータを用いて位相情報を推定するステップと、符号化された残余信号を復号化するステップと、前記位相情報を用いて前記Ｍ個のチャネル信号に対するアップミックスマトリックスを算出するステップと、前記残余信号及びアップミックスマトリックスを用いて前記Ｍ個のチャネル信号をＮ個のチャネル信号にアップミックスするステップとを含んでもよい。
【０００９】
本発明の一実施形態に係る復号化方法は、ＭＰＥＧ  ＵＳＡＣ（Ｕｎｉｆｉｅｄ  Ｓｐｅｅｃｈ  ａｎｄ  Ａｕｄｉｏ  Ｃｏｄｅｒ）に符号化されたＭ個のチャネル信号を動作するＬＰＤ（Ｌｉｎｅａｒ  Ｐｒｅｄｉｃｔｉｏｎ  Ｄｏｍａｉｎ）に基づいたＡＣＥＬＰ（Ａｌｇｅｂｒａｉｃ  Ｃｏｄｅ  Ｅｘｃｉｔｅｄ  Ｌｉｎｅａｒ  Ｐｒｅｄｉｃｔｉｏｎ）、ｗＬＰＴ（ｗｅｉｇｈｔｅｄ  Ｌｉｎｅａｒ  Ｐｒｅｄｉｃｔｉｖｅ  Ｔｒａｎｓｆｏｒｍ）、またはＦＤ（Ｆｒｅｑｕｅｎｃｙ  Ｄｏｍａｉｎ）に基づいたＡＡＣ（Ａｄｖａｎｃｅｄ  Ａｕｄｉｏ  Ｃｏｄｉｎｇ）のいずれか１つによって復号化するステップと、符号化された空間パラメータを復号化するステップと、前記空間パラメータを用いて位相情報を推定するステップと、符号化された残余信号を復号化するステップと、前記位相情報を用いて前記Ｍ個のチャネル信号に対するアップミックスマトリックスを算出するステップと、前記残余信号とアップミックスマトリックスを用いて前記Ｍ個のチャネル信号をＮ個のチャネル信号にアップミックスするステップとを含んでもよい。
【発明の効果】
【００１０】
本発明の一実施形態によれば、位相情報と残余信号によってダウンミックスされたチャネル信号をアップミックスすることによって本来の信号に近く復元することにある。
【図面の簡単な説明】
【００１１】
【図１】本発明の一実施形態に係る符号化装置及び復号化装置を示す図である。
【図２】本発明の一実施形態に係る符号化装置の細部構成を示すブロックダイアグラムである。
【図３】本発明の一実施形態に係る復号化装置の細部構成を示すブロックダイアグラムである。
【図４】本発明の一実施形態に係るアップミックスマトリックスを算出する過程を示す図である。
【図５】本発明の一実施形態に係る符号化過程を示す図である。
【図６】本発明の一実施形態に係る復号化過程を示す図である。
【図７】本発明の一実施形態に係る復号化の順序を示す図である。
【発明を実施するための形態】
【００１２】
以下、本発明の実施形態を添付する図面を参照しながら詳細に説明する。
【００１３】
図１は、本発明の一実施形態に係る符号化装置及び復号化装置を示す図である。図１を参考すれば、符号化装置１０１は、Ｎ個のチャネル信号をダウンミックスしたＭ個のチャネル信号を符号化する。ここで、ＮはＭよりも大きい値を表す。例えば、符号化装置１０１は、２つのチャネル信号から構成されたステレオ信号が入力されれば、１つのチャネル信号から構成されたモノ信号にダウンミックスして符号化してもよい。Ｎは２以上の値を表し、Ｍは１以上の値を表す。
【００１４】
本発明の一実施形態に係る符号化装置１０１は、Ｎ個のチャネル信号間の関係を表す空間パラメータを抽出して符号化してもよい。ここで、空間パラメータは復号化装置１０２で推定する位相情報に関連がある。そして、符号化装置１０１は、Ｎ個のチャネル信号を空間パラメータの表現によって発生するエラー信号の残余信号を抽出して符号化してもよい。これによって、符号化装置１０１は、ダウンミックスされたＭ個のチャネル信号、空間パラメータ、及び残余信号を符号化した後、ビットストリームを介して復号化装置１０２に送信する。
【００１５】
復号化装置１０２は、ビットストリームに含まれた残余信号と空間パラメータを復号化してもよい。そして、復号化装置１０２は、空間パラメータによって推定された位相情報を用いてアップミックスマトリックスを算出する。その後、復号化装置１０２は、算出されたアップミックスマトリックスと残余信号を用いてＭ個のチャネル信号をアップミックスしてＮ個のチャネル信号を復元してもよい。
【００１６】
本発明の一実施形態に係る復号化装置は、Ｎ個のチャネル信号間の関係を表す空間パラメータを介して推定された位相情報と残余信号を用いることによって、本来の信号のＮ個のチャネル信号に近く復元することができる。
【００１７】
図２は、本発明の一実施形態に係る符号化装置の細部構成を示すブロックダイアグラムである。図２を参考すれば、符号化装置２０１は、パラメータ符号化部２０２、ダウンミックス部２０３、残余信号符号化部２０４、及びチャネル信号符号化部２０５を備えてもよい。
【００１８】
パラメータ符号化部２０２は、Ｎ個のチャネル信号に対して位相情報に関連する空間パラメータを抽出して符号化する。例えば、パラメータ符号化部２０２は、２つのチャネル信号を示すステレオ信号が入力されれば、左側信号と右側信号との間の関係を表す空間パラメータを抽出して符号化してもよい。
【００１９】
一例として、パラメータ符号化部２０２は、Ｎ個のチャネル信号をＱＭＦ（Ｑｕａｄｒａｔｕｒｅ  Ｍｉｒｒｏｒ  Ｆｉｌｔｅｒ）分析とナイキストフィルタバンク分析（Ｎｙｑｕｉｓｔ  ＦｉｌｔｅｒＢａｎｋ  Ａｎａｌｙｓｉｓ）によってサブサンプルに変換して空間パラメータを抽出する。これによって、パラメータ符号化部２０２は、抽出された空間パラメータを量子化した後、無損失符号化を行う。
【００２０】
ここで、空間パラメータは、Ｎ個のチャネル信号のエネルギーレベルによる強度差を示すＩＩＤ（Ｉｎｔｅｒ−ｃｈａｎｎｅｌ  Ｉｎｔｅｎｓｉｔｙ  Ｄｉｆｆｅｒｅｎｃｅ）あるいはＣＬＤ（ｃｈａｎｎｅｌ  ｌｅｖｅｌ  ｄｉｆｆｅｒｅｎｃｅｓ）、Ｎ個のチャネル信号の波形の類似性による相関度を示すＩＣＣ（Ｉｎｔｅｒ−ｃｈａｎｎｅｌ  ＣｏｈｅｒｅｎｃｅまたはＩｎｔｅｒ−ｃｈａｎｎｅｌ  Ｃｏｒｒｅｌａｔｉｏｎ）、Ｎ個のチャネル信号間の位相差を示すＩＰＤ（Ｉｎｔｅｒ−ｃｈａｎｎｅｌ  Ｐｈａｓｅ  Ｄｉｆｆｅｒｅｎｃｅ）を含んでもよい。ここで、入力信号が２つのチャネル信号から構成されたステレオ信号である場合、空間パラメータはステレオ信号に含まれた２つのチャネル間の関係を表す。
【００２１】
ダウンミックス部２０３は、空間パラメータを用いてＮ個のチャネル信号をＭ個のチャネル信号にダウンミックスしてもよい。ここで、ＮはＭよりも大きい値である。例えば、ダウンミックス部２０３は、ステレオ信号（Ｎ＝２）をモノ信号（Ｍ＝１）にダウンミックスしてもよい。
【００２２】
残余信号符号化部２０４は、空間パラメータによって抽出された残余信号を符号化してもよい。残余信号は、Ｎ個のチャネル信号を空間パラメータを表すことによって発生するエラー信号を意味する。一例として、残余信号はＭＤＣＴ方式によってＭＰＥＧ  ＡＡＣ（Ａｄｖａｎｃｅｄ  Ａｕｄｉｏ  Ｃｏｄｉｎｇ）に符号化される。
【００２３】
チャネル信号符号化部２０５は、ダウンミックスされたＭ個のチャネル信号を符号化してもよい。具体的に、チャネル信号符号化部２０５は、ダウンミックスされたＭ個のチャネル信号をナイキストフィルタバンクによってＱＭＦドメインに変換した後、ＳＢＲ（Ｓｐｅｃｔｒａｌ  Ｂａｎｄｗｉｄｔｈ  Ｒｅｐｌｉｃａｔｉｏｎ）符号化を行う。その後、チャネル信号符号化部２０５は、ＱＭＦ合成によって時間ドメインに変換した後コア符号化される。ここで、コア符号化は、ＭＰＥＧ  ＵＳＡＣ（Ｕｎｉｆｉｅｄ  Ｓｐｅｅｃｈ  ａｎｄ  Ａｕｄｉｏ  Ｃｏｄｅｒ）で動作するＬＰＤ（Ｌｉｎｅａｒ  Ｐｒｅｄｉｃｔｉｏｎ  Ｄｏｍａｉｎ）に基づいたＡＣＥＬＰ（Ａｌｇｅｂｒａｉｃ  Ｃｏｄｅ  Ｅｘｃｉｔｅｄ  Ｌｉｎｅａｒ  Ｐｒｅｄｉｃｔｉｏｎ）、ｗＬＰＴ（ｗｅｉｇｈｔｅｄ  Ｌｉｎｅａｒ  Ｐｒｅｄｉｃｔｉｖｅ  Ｔｒａｎｓｆｏｒｍ）、またはＦＤ（Ｆｒｅｑｕｅｎｃｙ  Ｄｏｍａｉｎ）に基づいたＡＡＣ（Ａｄｖａｎｃｅｄ  Ａｕｄｉｏ  Ｃｏｄｉｎｇ）のいずれか１つであってもよい。
【００２４】
図３は、本発明の一実施形態に係る復号化装置の細部構成を示すブロックダイアグラムである。図３を参考すれば、復号化装置３０１は、チャネル信号復号化部３０２、パラメータ復号化部３０３、位相情報推定部３０４、残余信号復号化部３０５、マトリックス算出部３０６、及びアップミックス部３０７を備えてもよい。
【００２５】
チャネル信号復号化部３０２は、符号化されたＭ個のチャネル信号を復号化してもよい。ここで、チャネル信号復号化部３０２は、ＭＰＥＧ  ＵＳＡＣ（Ｕｎｉｆｉｅｄ  Ｓｐｅｅｃｈ  ａｎｄ  Ａｕｄｉｏ  Ｃｏｄｅｒ）で動作するＬＰＤ（Ｌｉｎｅａｒ  Ｐｒｅｄｉｃｔｉｏｎ  Ｄｏｍａｉｎ）に基づいたＡＣＥＬＰ（Ａｌｇｅｂｒａｉｃ  Ｃｏｄｅ  Ｅｘｃｉｔｅｄ  Ｌｉｎｅａｒ  Ｐｒｅｄｉｃｔｉｏｎ）、ｗＬＰＴ（ｗｅｉｇｈｔｅｄ  Ｌｉｎｅａｒ  Ｐｒｅｄｉｃｔｉｖｅ  Ｔｒａｎｓｆｏｒｍ）、またはＦＤ（Ｆｒｅｑｕｅｎｃｙ  Ｄｏｍａｉｎ）に基づいたＡＡＣ（Ａｄｖａｎｃｅｄ  Ａｕｄｉｏ  Ｃｏｄｉｎｇ）のいずれか１つによってビットストリームから符号化されたＭ個のチャネル信号を復号化してもよい。そして、チャネル信号復号化部３０２は、ＱＭＦ分析によって復元されたＭ個のチャネル信号をサブバンド信号に変換する。その後、復元されたＭ個のチャネル信号は、サブバンド信号に変換されたＭ個のチャネル信号に対してＳＢＲ復号化を行う。ＳＢＲ復号化が行われたＭ個のチャネル信号はナイキストフィルタバンクが適用され得る。
【００２６】
パラメータ復号化部３０３は、ビットストリームから符号化された空間パラメータを復号化してもよい。ここで、空間パラメータは、Ｎ個のチャネル信号のエネルギーレベルによる強度差を示すＩＩＤ（Ｉｎｔｅｒ−ｃｈａｎｎｅｌ  Ｉｎｔｅｎｓｉｔｙ  Ｄｉｆｆｅｒｅｎｃｅ）あるいはＣＬＤ（ｃｈａｎｎｅｌ  ｌｅｖｅｌ  ｄｉｆｆｅｒｅｎｃｅｓ）、Ｎ個のチャネル信号の波形の類似性による相関度を示すＩＣＣ（Ｉｎｔｅｒ−ｃｈａｎｎｅｌ  ＣｏｈｅｒｅｎｃｅまたはＩｎｔｅｒ−ｃｈａｎｎｅｌ  Ｃｏｒｒｅｌａｔｉｏｎ）、Ｎ個のチャネル信号の間の位相差を示すＩＰＤ（Ｉｎｔｅｒ−ｃｈａｎｎｅｌ  Ｐｈａｓｅ  Ｄｉｆｆｅｒｅｎｃｅ）を含んでもよい。
【００２７】
位相情報推定部３０４は空間パラメータを用いて位相情報を推定する。一例として、位相情報推定部３０４は、空間パラメータを用いてＮ個のチャネル信号間の位相差がＭ個のチャネル信号に基づいて分布する程度を表すパラメータ（ＯＰＤ：Ｏｖｅｒａｌｌ  Ｐｈａｓｅ  Ｄｉｆｅｒｅｎｃｅ）を推定する。
【００２８】
残余信号復号化部３０５は符号化された残余信号を復号化してもよい。ここで、残余信号復号化部３０５は、ＭＤＣＴ（Ｍｏｄｉｆｉｅｄ  Ｄｉｓｃｒｅｔｅ  Ｃｏｓｉｎｅ  Ｔｒａｎｓｆｏｒｍ）を用いてビットストリームから残余信号を復号化してもよい。その後、残余信号復号化部３０５は復号化された残余信号をＱＭＦドメインに変換してもよい。もし、ビットストリームに残余信号が含まれてない場合、残余信号復号化部３０５はデコリレータ（ｄｅｃｏｒｒｅｌａｔｏｒ）を用いて別途の信号を生成する。
【００２９】
マトリックス算出部３０６は、位相情報を用いてＭ個のチャネル信号に対するアップミックスマトリックスを算出する。
【００３０】
アップミックス部３０７は、残余信号とアップミックスマトリックスを用いてＭ個のチャネル信号をＮ個のチャネル信号にアップミックスしてもよい。もし、残余信号が復号化されていない場合、アップミックス部３０７は、デコリレータによって生成された別の信号を用いてアップミックスしてもよい。アップミックスされたＮ個のチャネル信号は、ナイキストフィルタバンクとＱＭＦ合成によって最終的に復元され得る。
【００３１】
図４は、本発明の一実施形態に係るアップミックスマトリックスを算出する過程を示す図である。図４において、復号化装置３０１の入力信号はダウンミックスされたモノ信号であり、出力信号はステレオ信号であると仮定する。図４を参考すれば、復号化装置３０１のマトリックス算出部３０６は、空間パラメータから推定された位相情報を用いてモノ信号を左側信号と右側信号から構成されたステレオ信号にアップミックスするためのアップミックスマトリックスを算出する。ここで、モノ信号は１つのチャネル信号を意味し、ステレオ信号は２つのチャネル信号を意味する。そして、空間パラメータはＩＰＤとＣＬＤによって推定されたＯＰＤを意味する。
【００３２】
ステレオ信号に対してＩＰＤは下記の数式（１）によって決定される。
【００３３】
ＩＰＤ＝∠（Ｌ・Ｒ）      （１）
ここで、Ｌ・Ｒは左チャネル信号と右チャネル信号のドット積（ｄｏｔ  ｐｒｏｄｕｃｔ）、ＩＰＤは左チャネル信号と右チャネル信号がなす角度、＊は複素共役（ｃｏｍｐｌｅｘ  ｃｏｎｊｕｇａｔｅ）をそれぞれ意味する。
【００３４】
ステレオ信号に対してＯＰＤは下記の数式（２）により決定される。
【００３５】
ＯＰＤ＝∠（Ｌ・Ｍ）      （２）
ここで、Ｌ・Ｍは左チャネル信号と右チャネル信号のドット積、ＯＰＤは左チャネル信号と右チャネル信号がなす角度、＊は複素共役をそれぞれ意味する。
【００３６】
ここで、ＯＰＤは下記の数式（３）によって表してもよい。
【００３７】
【数１】
2013508770.tif 000003
マトリックス算出部３０６は数式（３）によって算出された位相情報のＯＰＤを用いて下記の数式（４）のアップミックスマトリックスを算出する。
【００３８】
【数２】
2013508770.tif 000004
これによって、アップミックス部３０７は、残余信号とダウンミックスされたモノ信号に数式（４）のアップミックスマトリックスを適用してアップミックスした後位相合成を行う。
【００３９】
また、マトリックス算出部３０６は、数式（３）によって算出された位相情報のＯＰＤを用いて下記の数式（５）のアップミックスマトリックスを算出する。ここで、ｒｅｓＢａｎｄは残余信号の符号化が行われるバンドを意味する。
【００４０】
【数３】
2013508770.tif 000005
アップミックス部３０７は、残余信号とダウンミックスされたモノ信号に数式（５）のアップミックスマトリックスを適用してアップミックスしてもよい。ここで、位相合成はダウンミックスされたモノ信号にのみ適用され、残余信号を用いて最終的なステレオ信号が生成される。
【００４１】
数式（４）と数式（５）において、
【００４２】
【数４】
2013508770.tif 000006
は下記の数式（６）によって決定される。
【００４３】
【数５】
2013508770.tif 000007
そして、
【００４４】
【数６】
2013508770.tif 000008
は下記の数式（７）によって決定される。
【００４５】
【数７】
2013508770.tif 000009
ここで、アップミックス部３０７は、下記の数式（８）によって残余信号とダウンミックスされたモノ信号に数式（４）または数式（５）のアップミックスマトリックスを適用してアップミックスしてもよい。アップミックスによってステレオ信号が生成される。
【００４６】
【数８】
2013508770.tif 000010
ここで、ｘはＱＭＦ（Ｑｕａｄｒａｔｕｒｅ  Ｍｉｒｒｏｒ  Ｆｉｌｔｅｒ）ドメインのダウンミックスされたモノ信号であり、ｑはステレオ信号の残余信号である。もし、残余信号がないであれば、デコリレータによって生成された別の信号が用いられてもよい。
【００４７】
図４に示すアップミックスマトリックスはＭＰＥＧサラウンドのＯＴＴ（ｏｎｅ−ｔｏ−ｔｗｏ）モジュールに適用されることによって多チャンネルへの拡張が容易である。
【００４８】
図５は、本発明の一実施形態に係る符号化過程を示す図である。図５に示された符号化過程は図２に示す符号化装置によって行われる。そして、図５は、入力信号で２つのチャネル信号から構成されたステレオ信号の場合を示す。
【００４９】
符号化装置２０１は入力されたステレオ信号に対してＱＭＦ分析を行ない（Ｓ５０１）、ナイキストフィルタバンク分析を行って（Ｓ５０２）サブサンプルに変換してもよい。その後、符号化装置２０１は、サブサンプルに変換されたステレオ信号に対して空間パラメータを抽出する（Ｓ５０３）。符号化装置２０１は、抽出された空間パラメータを量子化及び無損失符号化してビットストリームを生成する。
【００５０】
そして、符号化装置２０１は、空間パラメータを用いてステレオ信号をモノ信号にダウンミックスする（Ｓ５０８）。その後、符号化装置２０１は、ダウンミックスされたモノ信号をナイキストフィルタバンク合成を介してＱＭＦドメインに変換する（Ｓ５０９）。
【００５１】
一方、符号化装置２０１は、ステレオ信号を空間パラメータに表すことによって発生するエラー信号の残余信号を抽出する（Ｓ５０４）。符号化装置は抽出された残余信号にＭＤＣＴを行って（Ｓ５０５）符号化（Ｓ５０６）し、ビットストリームを生成する。ここで、符号化装置は、ＭＤＣＴドメインでＭＰＥＧ  ＡＡＣを用いて残余信号を符号化してもよい。
【００５２】
ステップＳ５０１からステップＳ５０８の過程がＭＰＥＧサラウンド符号化部で行われる。ここで、ＭＰＥＧサラウンド符号化部は、図２に示すパラメータ符号化部２０２、ダウンミックス部２０３、及び残余信号符号化部２０４を備えてもよい。
【００５３】
符号化装置は、ＱＭＦドメインに変換されたモノ信号にＳＢＲ符号化を行う（Ｓ５１０）。その後、符号化装置はＱＭＦ合成を介して時間ドメインに変換した後（Ｓ５１１）、ＵＳＡＣコアの符号化を行って（Ｓ５１２）、モノ信号のビットストリームを生成する。ステップＳ５１０の過程がＳＢＲ符号化部で行われ、ステップＳ５１２の過程がＵＳＡＣコアの符号化部で行われてもよい。ここで、ＵＳＡＣコアの符号化部は図２に示すチャネル信号符号化部２０５を備えてもよい。
【００５４】
図６は、本発明の一実施形態に係る復号化過程を示す図である。図６に示された符号化過程は図３に示す復号化装置によって行われる。復号化装置は、ＵＳＡＣコア復号化によってビットストリームからモノ信号を復号化する（Ｓ６０１）。ここで、復号化装置は、ＡＣＥＬＰ、ｗＬＰＴ、及びＡＡＣのいずれか１つの方式によってモノ信号を復号化してもよい。
【００５５】
そして、復号化装置はＱＭＦ分析によって時間ドメインのモノ信号をサブバンド信号に変換する（Ｓ６０２）。その後、復号化装置は、サブバンド信号に変換されたモノ信号に対してＳＢＲ復号化を行う（Ｓ６０３）。ステップＳ６０１の過程がＵＳＡＣコア復号化部で行われ、ステップＳ６０３の過程がＳＢＲ復号化部で行われる。ここで、ＵＳＡＣ復号化部は図３に示すチャネル信号復号化部３０２を備えてもよい。
【００５６】
復号化装置はＳＢＲ復号化が行われたモノ信号にナイキストフィルタバンク分析を適用する（Ｓ６０４）。そして、復号化装置はビットストリームから空間パラメータを復号化した後（Ｓ６０５）、位相情報のＯＰＤを推定する（Ｓ６０６）。これによって、復号化装置は推定されたＯＰＤを用いてアップミックスマトリックスを算出する（Ｓ６０７）。
【００５７】
一方、復号化装置はビットストリームから残余信号を復号化する（Ｓ６０９）。そして、復号化装置は、ＭＤＣＴドメインの残余信号をＱＭＦドメインに変換してもよい（Ｓ６１０）。それで、復号化装置はモノ信号と残余信号にアップミックスマトリックスを適用してアップミックスする（Ｓ６１１）。もし、ビットストリームに残余信号を含んでいなければ、復号化装置はデコリレータによって特定信号を生成し（Ｓ６０８）、モノ信号と特定信号にアップミックスマトリックスを適用してアップミックスしてもよい。その後、復号化装置は、ナイキストフィルタバンク分析とＱＭＦ合成を行って（Ｓ６１２）、時間ドメインのステレオ信号を復元する。
【００５８】
ステップＳ６０４〜ステップＳ６１２はＭＰＥＧサラウンド復号化部で行われてもよく、ＭＰＥＧサラウンド復号化部は図３に示すパラメータ復号化部３０３、位相情報推定部３０４、残余信号復号化部３０５、マトリックス算出部３０６、及びアップミックス部３０７を備えてもよい。
【００５９】
図７は、本発明の一実施形態に係る復号化の順序を示す図である。特に、図７は、復号化が行われるとき、これをシグナリングする方法に関する。
【００６０】
本発明の一実施形態によれば、次にシンタックス（ｓｙｎｔａｘ）によって復号化を行うための基本情報はヘッダに表現され、ビットストリームに含まれてもよい。
【００６１】
【表１】
2013508770.tif 000011
ここで、bsStereoSbrとbsPseudoLrは残余信号をコーディングするために必要な構成要素として、次のように定義され得る。
【００６２】
bsStereoSbr  This  flag  signals  the  usage  of  the  stereo  SBR  in  combination  with  MPEG  Surround  decoding.
bsStereoSbrは下の表１のように定義される。bsStereoSbrによって図７に示すような復号化の順序が決定される。
【００６３】
【表２】
2013508770.tif 000012
bsStereoSbr情報はＭＰＥＧサラウンドモジュールと組み合わせることのできるＳＢＲ（Ｓｐｅｃｔｒａｌ  Ｂａｎｄ  Ｒｅｐｌｉｃａｔｉｏｎ）モジュールの位置とチャネル数を示す。Ｍｏｎｏ  ＳＢＲが適用されれば、ダウンミックス信号が入力されてＳＢＲ復号化が行われた後ＭＰＥＧサラウンドステレオ復号化が行われる。そして、Ｓｔｅｒｅｏ  ＳＢＲが適用されれば、ＭＰＥＧサラウンドステレオ復号化が行われた後ＳＢＲ復号化が行われて、最終的なステレオ信号は復元される。
【００６４】
bsPseudoLr     This  flag  signals  that  an  inverse  mid/side  rotation  should  be  applied  to  the  core  signal  prior  to  MPEG  Surround  processing.
bsPseudoLrは下の表２のように定義される。
【００６５】
【表３】
2013508770.tif 000013
channelConfigurationはUSAC  core  coderのチャネル数を示すものとして、Syntax  of  USACSpecificConfig（）によればUSAC  core  coderがステレオ信号の２つのチャネル信号に符号化された場合、SBR  configurationに対してシグナリングする。しかし、ＭＰＥＧサラウンドを採用しているＵＳＡＣ技術は５−２−５及び７−２−７のツリー構造を支援し、ここでchannelConfigurationは２に送信される。ここで、５．１チャネル信号にアップミックスするためbsStereoSbrに該当のSBR  configurationを定義することはできない。基本的に５−２−５、７−２−７構造でＳＢＲが適用された場合、ダウンミックスされた信号に先にＳＢＲを適用し、最終複数のチャネル信号にアップミックスされる。
【００６６】
このような理由により、Syntax  of  USACSpecificConfig（）は次のように修正されてもよい。
【００６７】
【表４】
2013508770.tif 000014
Modified  Syntax  of  USACSpecificConfig（）ではSpatialSpecificConfig（）を先に解釈し、その後に取得されたbsTreeConfigによりbsStereoSbrとbsPseudoLrが送信される。このような過程により、従来の５−２−５及び７−２−７との互換性の問題が解決される。bsTreeConfigが０ｘ０７である場合２−１−２を意味し、これはステレオ信号を生成することを表す。
【００６８】
また、残余信号の符号化は高いビット率に適用されるため、ＭＰＥＧサラウンドのbitrate  modeを示すｂｓ２１２Ｍｏｄｅによって選択的に復号化されてもよい。また、bsResidualCoding情報を用いて残余信号が選択的に復号化されてもよい。
【００６９】
【表５】
2013508770.tif 000015
bs212Mode  indicates  operation  mode  of  SpatialFrame()according  to:
bsStereoSbrは下記の表３のように定義される。
【００７０】
【表６】
2013508770.tif 000016
他の実現形態として、前記の条件はbsTreeConfigあるいはbs212ModeあるいはbsResidualCodingを適用して判断してもよい。
【００７１】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。
【００７２】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００７３】
したがって、本発明の範囲は、開示された実施形態に限定されるものではなく、特許請求の範囲だけではなく特許請求の範囲と均等なものなどによって定められるものである。
【符号の説明】
【００７４】
１０１、２０１  符号化装置
１０２、３０１  復号化装置
２０２  パラメータ符号化部
２０３  ダウンミックス部
２０４  残余信号符号化部
２０５  チャネル信号符号化部
３０２  チャネル信号復号化部
３０３  パラメータ復号化部
３０４  位相情報推定部
３０５  残余信号復号化部
３０６  マトリックス算出部
３０７  アップミックス部
【図１】
2013508770.tif 000017
【図２】
2013508770.tif 000018
【図３】
2013508770.tif 000019
【図４】
2013508770.tif 000020
【図５】
2013508770.tif 000021
【図６】
2013508770.tif 000022
【図７】
2013508770.tif 000023
【国際調査報告】
2013508770.tif 000024
2013508770.tif 000025
2013508770.tif 000026
2013508770.tif 000027